(57)【要約】      （修正有）【課題】マスク内部の温度が高温になり蒸れを抑制するマスクを提供する。【解決手段】口側マスク部１００と鼻側マスク部２００とからなるマスク１０であって、左側面用生地１１０の右端は右側面用生地１２０の左端と口側マスク部の略中心において縫製接合し、左側面用生地の左端は、左耳用ゴム紐４１０と口側マスク部の左端において縫製接合し、右側面用生地の右端は、右耳用ゴム紐４２０と口側マスク部の右端において縫製接合し、鼻側マスク部は、第一の生地２１０の上端と第二の生地２２０の下端と口側マスク部の略上端位置において縫製接合し、第一の生地の下端は、口側マスク部の外表面と口側マスク部の上端から第一の生地の幅の長さだけ下側に位置するセットバック接合箇所において縫製接合し、鼻側マスク部の両端は、口側マスク部の外表面と口側マスク部の両端位置において縫製接合し、口側マスク部の上端の長さは、鼻側マスク部の上端の長さよりも短い。【選択図】図１
2022003182.tif 000002
【特許請求の範囲】
【請求項１】
口側マスク部と鼻側マスク部とからなるマスクであって、
前記口側マスク部は、左側面用生地と右側面用生地と左耳用ゴム紐と右耳用ゴム紐とを有し、
前記左側面用生地の右端は、前記右側面用生地の左端と前記口側マスク部の略中心において縫製接合し、
前記左側面用生地の左端は、前記左耳用ゴム紐と、前記口側マスク部の左端において縫製接合し、
前記右側面用生地の右端は、前記右耳用ゴム紐と、前記口側マスク部の右端において縫製接合し、
前記鼻側マスク部は、第一の生地と第二の生地とを有し、
前記第一の生地の上端は、前記第二の生地の下端と、前記口側マスク部の略上端位置において縫製接合し、
前記第一の生地の下端は、前記口側マスク部の外表面と、前記口側マスク部の上端から前記第一の生地の幅の長さだけ下側に位置するセットバック接合箇所において縫製接合し、
前記鼻側マスク部の両端は、前記口側マスク部の外表面と、前記口側マスク部の両端位置において縫製接合し、
前記口側マスク部の上端の長さは、前記鼻側マスク部の上端の長さよりも短い、
マスク。
【請求項２】
請求項１に記載のマスクであって、
使用者が装着した際に、口側マスク部の上端からセットバック接合箇所までの領域が、前記使用者の鼻に接触し内側に折れ込むことで仕切弁となる、
マスク。
【請求項３】
口側マスク部と鼻側マスク部とを一体的に有するマスクであって、
前記口側マスク部は、折込領域と一組のゴム紐とを有し、
前記口側マスク部の上端は、前記鼻側マスク部の下端と一体的に連続し、
前記口側マスク部の両端は、前記ゴム紐と縫製接合し、
前記折込領域は、前記口側マスク部の上端から前記口側マスク部と前記鼻側マスク部とを縫製接合する幅の長さだけ下側にセットバックした位置から、所定の長さまでの領域であり、
前記口側マスク部を、前記折込領域の略中心線を軸にして外側に折り込み、且つ、前記口側マスク部と前記鼻側マスク部の連続箇所を軸にして内側に折り込み、前記口側マスク部と前記鼻側マスク部とを縫製接合し、
前記口側マスク部の上端の長さが前記鼻側マスク部の上端の長さよりも短くなるように折り畳まれる、
マスク。
【請求項４】
請求項１または請求項３に記載のマスクであって、
その一端が口側マスク部の上端において口側マスク部と縫製接合され、他端が鼻側マスク部の上端において鼻側マスク部と縫製接合されるカバー部をさらに有し、
前記カバー部は、開口部と、左側抗菌フィルターと、右側抗菌フィルターと、を有する、
マスク。
【請求項５】
左側面用生地、右側面用生地、左耳用ゴム紐、右耳用ゴム紐を有する口側マスク部と、第一の生地、第二の生地を有する鼻側マスク部とからなるマスクの製造方法であって、
（１）前記左側面用生地の右端が、前記右側面用生地の左端と、前記口側マスク部の略中心において縫製接合される工程と、
（２）前記左側面用生地の左端が、前記左耳用ゴム紐と、前記口側マスク部の左端において縫製接合される工程と、
（３）前記右側面用生地の右端が、前記右耳用ゴム紐と、前記口側マスク部の右端において縫製接合される工程と、
（４）前記第一の生地の上端が、前記第二の生地の下端と、前記口側マスク部の略上端位置において縫製接合される工程と、
（５）前記第一の生地の下端が、前記口側マスク部の外表面と、前記口側マスク部の上端から前記第一の生地の幅の長さだけ下側に位置するセットバック接合箇所において縫製接合される工程と、
（６）前記鼻側マスク部の両端が、前記口側マスク部の外表面と、前記口側マスク部の両端位置において縫製接合される工程と、
を有し、
前記口側マスク部の上端の長さは、前記鼻側マスク部の上端の長さよりも短い、
マスクの製造方法。
【請求項６】
請求項５に記載のマスクの製造方法であって、
使用者が装着した際に、口側マスク部の上端からセットバック接合箇所までの領域が、前記使用者の鼻に接触し内側に折れ込むことで仕切弁となる、
マスクの製造方法。
【請求項７】
請求項５または請求項６に記載のマスクの製造方法であって、
（１）カバー部の一端が口側マスク部の上端において口側マスク部と縫製接合される工程と、
（２）カバー部の他端が鼻側マスク部の上端において鼻側マスク部と縫製接合される工程と、
をさらに有し、
前記カバー部は、開口部と、左側抗菌フィルターと、右側抗菌フィルターと、を有する、
マスクの製造方法。
【発明の詳細な説明】
【技術分野】
【０００１】
本発明は、マスクに関する。
【背景技術】
【０００２】
従来、人の呼吸方法は鼻呼吸である。そのため、一般に流通しているマスクを使用する場合、鼻から放出された呼気がマスク内全体を温め、蒸れてしまい、使用者は不快に感じる。
【０００３】
しかし、夏季の屋外など高温の環境下であっても、疫病の予防等のためマスクを装着して労働や運動をする必要がある。そのような場合、鼻からの呼気がマスク内部を高温にすることから、マスクを装着する使用者は熱中症を引き起こす危険があった。
【先行技術文献】
【特許文献】
【０００４】
【特許文献１】特開２００８−１１３９２２号公報
【発明の概要】
【発明が解決しようとする課題】
【０００５】
特許文献１に記載された技術による鼻吸気口呼気専用マスクは、外部の空気を強制的に鼻から吸気し、口から呼気するための専用マスクであり、上記の呼吸を、効率的、確実かつ簡便に行うための機器が開示されている。しかしながら上記マスクは、鼻からの呼気を仕切弁によって遮断してマスク内部の温度が高温になり蒸れることを低減するものではない。
【０００６】
本発明の目的は、鼻からの呼気を仕切弁によって遮断してマスク内部の温度が高温になり蒸れることを抑制するマスクを提供することである。
【課題を解決するための手段】
【０００７】
本願において開示される発明のうち、代表的なものの概要を簡単に説明すれば、次の通りである。
【０００８】
本発明の一実施の形態のマスクは、口側マスク部と鼻側マスク部とからなるマスクであって、口側マスク部は、左側面用生地と右側面用生地と左耳用ゴム紐と右耳用ゴム紐とを有する。また、左側面用生地の右端は、右側面用生地の左端と口側マスク部の略中心において縫製接合される。また、左側面用生地の左端は、左耳用ゴム紐と、口側マスク部の左端において縫製接合される。また、右側面用生地の右端は、右耳用ゴム紐と、口側マスク部の右端において縫製接合される。また、鼻側マスク部は、第一の生地と第二の生地とを有する。また、第一の生地の上端は、第二の生地の下端と、口側マスク部の略上端位置において縫製接合される。また、第一の生地の下端は、口側マスク部の外表面と、口側マスク部の上端から第一の生地の幅の長さだけ下側に位置するセットバック接合箇所において縫製接合される。また、鼻側マスク部の両端は、口側マスク部の外表面と、口側マスク部の両端位置において縫製接合される。また、口側マスク部の上端の長さは、鼻側マスク部の上端の長さよりも短い。
【発明の効果】
【０００９】
本願において開示される発明のうち、代表的なものによって得られる効果を簡単に説明すれば以下のとおりである。
【００１０】
本発明の代表的な実施の形態によれば、鼻からの呼気を仕切弁によって遮断してマスク内部の温度が高温になり蒸れることを抑制可能なマスクを提供できる。
【図面の簡単な説明】
【００１１】
【図１】本発明の第一の実施の形態のマスクの外観を示す斜視図である。
【図２】本発明の第一の実施の形態のマスクを構成する各部を切り離した状態を示す平面図である。
【図３】本発明の第一の実施の形態のマスクを構成する各部を接合した状態を示す正面図および平面図である。
【図４】本発明の第一の実施の形態のマスクを構成する各部を接合した状態を示す断面図である。
【図５】本発明の第一の実施の形態のマスクにおける仕切弁が呼気を分離する様子を示す模式図である。
【図６】本発明の第一の実施の形態のマスクにおける仕切弁が内側に折れ込み呼気を分離する様子を示す模式図である。
【図７】本発明の第一の実施の形態のマスクを構成する各部を示す概要図である。
【図８】本発明の第二の実施の形態のマスクを示す模式図である。
【図９】本発明の第二の実施の形態のマスクが折り込まれた状態を示す模式図である。
【図１０】本発明の第三の実施の形態のマスクを示す模式図である。
【図１１】本発明の第三の実施の形態のマスクを示す断面図である。
【発明を実施するための形態】
【００１２】
以下、本発明の実施の形態を図面に基づいて詳細に説明する。なお、実施の形態を説明するための全図において、同一部には原則として同一の符号を付し、その繰り返しの説明は省略する。
［第一の実施の形態］
図１は、本発明の第一の実施の形態のマスク１０の外観を示す斜視図である。
【００１３】
本発明の第一の実施の形態のマスク１０は、図１に示すように、口側マスク部１００と鼻側マスク部２００とからなる。口側マスク部１００は、左側面用生地１１０と右側面用生地１２０と左耳用ゴム紐４１０と右耳用ゴム紐４２０とを有する。また、鼻側マスク部２００は、第一の生地２１０と第二の生地２２０とを有する。
【００１４】
図２は、本発明の第一の実施の形態のマスク１０を構成する各部を切り離した状態を示す平面図である。
＜口側マスク部＞
左側面用生地１１０の形状は四辺形状である。左側面用生地１１０の一辺は、略直線状である。左側面用生地１１０の他の三辺は、円弧状である。
【００１５】
左側面用生地１１０の大きさは特に限定されないが、左側面用生地１１０の略直線状の一辺は、長さが７０〜９０ｍｍとする。左側面用生地１１０の円弧状の三辺のうち、左側面用生地１１０の上端の辺は、弧長が１００〜１２０ｍｍとする。また、左側面用生地１１０の円弧状の三辺のうち、左側面用生地１１０の下端の辺は、弧長が９０〜１１０ｍｍとする。また、左側面用生地１１０の円弧状の三辺のうち、左側面用生地１１０の右端の辺は、弧長が１４０〜１６０ｍｍとする。
【００１６】
右側面用生地１２０の形状は四辺形状である。右側面用生地１２０の一辺は、略直線状である。右側面用生地１２０の他の三辺は、円弧状である。
【００１７】
右側面用生地１２０の大きさは特に限定されないが、右側面用生地１２０の略直線状の一辺は、長さが７０〜９０ｍｍとする。右側面用生地１２０の円弧状の三辺のうち、右側面用生地１２０の上端の辺は、弧長が１００〜１２０ｍｍとする。また、右側面用生地１２０の円弧状の三辺のうち、右側面用生地１２０の下端の辺は、弧長が９０〜１１０ｍｍとする。また、右側面用生地１２０の円弧状の三辺のうち、右側面用生地１２０の左端の辺は、弧長が１４０〜１６０ｍｍとする。
【００１８】
左側面用生地１１０および右側面用生地１２０の厚さは特に限定されないが、例えば、２．０ｍｍとする。左側面用生地１１０および右側面用生地１２０の素材は、例えば、麻、綿等とする。
【００１９】
左耳用ゴム紐４１０の形状は半円環状である。左耳用ゴム紐４１０の半円環の半径は、およそ３０ｍｍである。
【００２０】
右耳用ゴム紐４２０の形状は半円環状である。右耳用ゴム紐４２０の半円環の半径は、およそ３０ｍｍである。
【００２１】
左耳用ゴム紐４１０および右耳用ゴム紐４２０の厚さは特に限定されないが、例えば、直径２．０ｍｍとする。
【００２２】
なお、左側面用生地１１０は、口側マスク部１００の上端から第一の生地２１０の幅の長さだけ下側に位置する第一セットバック接合箇所１１１を有する。また、左側面用生地１１０は、口側マスク部１００の上端から第一セットバック接合箇所１１１までの間の第一折込領域１１２を有する。
【００２３】
同様に、右側面用生地１２０は、口側マスク部１００の上端から第一の生地２１０の幅の長さだけ下側に位置する第二セットバック接合箇所１２１を有する。また、右側面用生地１２０は、口側マスク部１００の上端から第二セットバック接合箇所１２１までの間の第二折込領域１２２を有する。
＜鼻側マスク部＞
鼻側マスク部２００は、第一の生地２１０と第二の生地２２０とを有する。第一の生地２１０の形状は四辺形状である。第一の生地２１０の両端の二辺は、略直線状である。第一の生地２１０の他の二辺は、円弧状である。
【００２４】
第一の生地２１０の大きさは特に限定されないが、第一の生地２１０の略直線状の二辺は、長さが１０〜２０ｍｍとする。第一の生地２１０の円弧状の二辺のうち、第一の生地２１０の上端の辺は、弧長が２２０〜２３０ｍｍとする。また、第一の生地２１０の円弧状の二辺のうち、第一の生地２１０の下端の辺は、弧長が２３０〜２４０ｍｍとする。
【００２５】
第二の生地２２０の形状は四辺形状である。第二の生地２２０の両端の二辺と上端の一辺は、略直線状である。第二の生地２２０の他の一辺は、円弧状である。
【００２６】
第二の生地２２０の大きさは特に限定されないが、第二の生地２２０の両端の二辺は、長さが２０〜３０ｍｍとする。第二の生地２２０の上端の一辺は、長さが２３０〜２４０ｍｍとする。
【００２７】
なお、後述する通り、第二の生地２２０の上端の一辺、すなわち、鼻側マスク部２００の上端２０１の長さは、口側マスク部１００の上端１０１の長さ（左側面用生地１１０の上端と右側面用生地１２０の上端とを合わせた長さ）よりも長い。また、第二の生地２２０の円弧状の一辺は、弧長が２３０〜２４０ｍｍとする。
【００２８】
第一の生地２１０および第二の生地２２０の厚さは特に限定されないが、例えば、２．０ｍｍとする。第一の生地２１０および第二の生地２２０の素材は、例えば、麻、綿等とする。
【００２９】
なお、第一の生地２１０の素材は、口側マスク部１００および第二の生地２２０の素材より織目の粗い素材としてもよい。
【００３０】
例えば、口側マスク部１００および第二の生地２２０の素材が、「織目の細かい綿」である場合、第一の生地２１０の素材は、「織目の粗い麻」とできる。
【００３１】
このようにすることで、後述する方法により分離された鼻５１０からの呼気６１０を効果的にマスク１０の外部へ排出できる。すなわち、マスク１０は、一般に流通しているマスクに比べ、鼻５１０から放出された呼気６１０がマスク１０の内部を温めることを抑制でき、使用者が不快に感じることを低減できる。
＜各部を接合した状態＞
図３は、本発明の第一の実施の形態のマスク１０を構成する各部を接合した状態を示す正面図および平面図である。なお、図３（ａ）は、マスク１０の正面図を示す。また、図３（ｂ）は、マスク１０の平面図を示す。
【００３２】
図３（ａ）で示されるように、左側面用生地１１０の右端は、右側面用生地１２０の左端と口側マスク部１００の略中心において縫製接合される。なお、縫製接合とは、ミシン等の公知技術で縫製することにより、生地を接合させることを示す。
【００３３】
左側面用生地１１０の左端は、左耳用ゴム紐４１０と、口側マスク部１００の左端において縫製接合される。
【００３４】
右側面用生地１２０の右端は、右耳用ゴム紐４２０と、口側マスク部１００の右端において縫製接合される。
【００３５】
第一の生地２１０の上端は、第二の生地２２０の下端と、口側マスク部１００の略上端位置において縫製接合される。
【００３６】
第一の生地２１０の下端は、口側マスク部１００の外表面と、口側マスク部１００の上端から第一の生地２１０の幅の長さだけ下側に位置するセットバック接合箇所（第一セットバック接合箇所１１１および第二セットバック接合箇所１２１）において縫製接合される。
【００３７】
鼻側マスク部２００の両端は、口側マスク部１００の外表面と、口側マスク部１００の両端位置において縫製接合される。
【００３８】
なお、鼻側マスク部２００の両端は、口側マスク部１００の外表面と縫製接合される際に、その両端位置において間隙を有するようにしても良い。これにより、鼻側マスク部２００の両端は、口側マスク部１００との間にある間隙を通じて、鼻５１０からの呼気６１０（図6、後述）をマスク外部に効率よく排出できる。
【００３９】
また、図３（ｂ）で示されるように、口側マスク部１００の上端１０１の長さ（左側面用生地１１０の上端と右側面用生地１２０の上端とを合わせた長さ）は、鼻側マスク部２００の上端２０１の長さよりも短い。これにより、マスク１０は、空間部６００を有する。
【００４０】
図４は、本発明の第一の実施の形態のマスク１０を構成する各部を接合した状態を示す断面図である。
【００４１】
図４で示されるように、第一の生地２１０の下端は、口側マスク部１００（左側面用生地１１０および右側面用生地１２０）の外表面と、セットバック接合箇所（第一セットバック接合箇所１１１および第二セットバック接合箇所１２１）において縫製接合される。図４の記号２３０は、当該場所で縫製接合されることを示す。
【００４２】
すなわち、第一の生地２１０は、記号２３０より上側部分で口側マスク部１００と縫製接合されない。
【００４３】
また、既述の通り、口側マスク部１００の上端１０１の長さ（左側面用生地１１０の上端と右側面用生地１２０の上端とを合わせた長さ）が、鼻側マスク部２００の上端２０１の長さよりも短いことから、第一折込領域１１２（および第二折込領域１２２）はマスク１０の内側に引っ張るようにして、第一の生地２１０から引き離すことができる。
【００４４】
上記特性により、マスク１０は、口側マスク部１００と鼻側マスク部２００との間に空間部６００を設けることができる。
＜仕切弁＞
図５は、本発明の第一の実施の形態のマスク１０における仕切弁が呼気を分離する様子を示す模式図である。
【００４５】
図５で示されるように、使用者５００が装着した際に、口側マスク部１００の上端からセットバック接合箇所までの領域（第一折込領域１１２および１２２）が、仕切弁となり、鼻５１０からの呼気６１０がマスク１０の内部全体に浸透することを抑制できる。
【００４６】
鼻５１０からの呼気６１０は、第一折込領域１１２および１２２が仕切弁となってマスク１０の内側への浸透を遮断されるため、マスク１０の上端または両端から外部に向かって排出される。すなわち、マスク１０は、使用者５００の鼻５１０からの呼気６１０と口５２０からの呼気６２０とを分離する。
【００４７】
これにより、鼻５１０からの呼気６１０がマスク１０全体に浸透したり、鼻５１０からの呼気６１０と口５２０からの呼気６２０とが混合したりせず、マスク１０の内部の温度が上昇し蒸れることを抑制できる。
＜仕切弁が折れ込む場合＞
図６は、本発明の第一の実施の形態のマスク１０における仕切弁が内側に折れ込み呼気を分離する様子を示す模式図である。
【００４８】
図６で示されるように、使用者５００が装着した際に、口側マスク部１００の上端からセットバック接合箇所までの領域（第一折込領域１１２および１２２）が、使用者５００の鼻５１０に接触し内側に折れ込む。
【００４９】
すなわち、第一折込領域１１２および１２２は、鼻５１０に接触した後、下方に引き離されるようにして、マスク１０の内側に折れ込む。
【００５０】
このようにして、使用者５００が装着した際に、口側マスク部１００の上端からセットバック接合箇所までの領域（第一折込領域１１２および１２２）が、使用者５００の鼻５１０に接触し内側に折れ込むことで仕切弁となり、鼻５１０からの呼気６１０が全体に浸透することを抑制できる。
【００５１】
また、鼻５１０からの呼気６１０は、第一折込領域１１２および１２２が仕切弁となってマスク１０の内側への浸透を遮断されるため、マスク１０の上端または両端から外部に向かって排出される。すなわち、マスク１０は、使用者５００の鼻５１０からの呼気６１０と口５２０からの呼気６２０とを分離する。
【００５２】
これにより、鼻５１０からの呼気６１０がマスク１０全体に浸透したり、鼻５１０からの呼気６１０と口５２０からの呼気６２０とが混合したりせず、マスク１０の内部の温度が上昇し蒸れることを抑制できる。
【００５３】
図７は、本発明の第一の実施の形態のマスク１０を構成する各部を示す概要図である。
【００５４】
図７（ａ）は、左側面用生地１１０を示す。図７（ｂ）は、第一の生地２１０を示す。図７（ｃ）は、第二の生地２２０を示す。図７（ｄ）は、空間部６００を示す。
＜マスク１０の製造方法＞
左側面用生地１１０、右側面用生地１２０、左耳用ゴム紐４１０、右耳用ゴム紐４２０を有する口側マスク部１００と、第一の生地２１０、第二の生地２２０を有する鼻側マスク部２００とからなるマスク１０の製造方法は、以下の工程を有する。
【００５５】
まず、マスク１０は、左側面用生地１１０の右端が、右側面用生地１２０の左端と、口側マスク部１００の略中心において縫製接合される。
【００５６】
次に、マスク１０は、左側面用生地１１０の左端が、左耳用ゴム紐４１０と、口側マスク部１００の左端において縫製接合される。
【００５７】
次に、マスク１０は、右側面用生地１２０の右端が、右耳用ゴム紐４２０と、口側マスク部１００の右端において縫製接合される。
【００５８】
次に、マスク１０は、第一の生地２１０の上端が、第二の生地２２０の下端と、口側マスク部１００の略上端位置において縫製接合される。
【００５９】
次に、マスク１０は、第一の生地２１０の下端が、口側マスク部１００の外表面と、口側マスク部１００の上端から第一の生地２１０の幅の長さだけ下側に位置するセットバック接合箇所において縫製接合される。
【００６０】
次に、マスク１０は、鼻側マスク部２００の両端が、口側マスク部１００の外表面と、口側マスク部１００の両端位置において縫製接合される。
【００６１】
また、マスク１０は、使用者５００が装着した際に、口側マスク部１００の上端からセットバック接合箇所までの領域が、使用者５００の鼻５１０に接触し内側に折れ込むことで仕切弁となるようにしても良い。
［第二の実施の形態］
図８は、本発明の第二の実施の形態のマスク２０を示す模式図である。図８（ａ）は、マスク２０の平面図を示す。また、図８（ｂ）は、マスク２０の断面図を示す。
【００６２】
マスク２０は、口側マスク部７１０と鼻側マスク部７２０とを一体的に有する。
【００６３】
口側マスク部７１０の上端は、鼻側マスク部７２０の下端と一体的に連続する。すなわち、マスク２０は、一枚の素材で構成され、口側マスク部７１０と鼻側マスク部７２０とを一体不可分に包含する。
【００６４】
マスク２０の形状は長方形状である。マスク２０の大きさは特に限定されないが、マスク２０の上端と下端の二辺は、それぞれ長さが１６０〜１８０ｍｍとする。マスク２０の両端の二辺は、それぞれ長さが２１０〜２３０ｍｍとする。
【００６５】
マスク２０の厚さは特に限定されないが、例えば、１．０ｍｍとする。マスク２０の素材は、例えば、不織布、和紙、コットン等とする。
【００６６】
口側マスク部７１０は、折込領域７１１と一組のゴム紐７４０とを有する。
【００６７】
折込領域７１１の形状は長方形状である。折込領域７１１の大きさは特に限定されないが、折込領域７１１の上端と下端の二辺は、それぞれ長さが１６０〜１８０ｍｍとする。マスク２０の両端の二辺は、それぞれ長さが４０〜５０ｍｍとする。
【００６８】
口側マスク部７１０の両端は、ゴム紐７４０と縫製接合される。
【００６９】
一組のゴム紐７４０の形状は半円環状である。一組のゴム紐７４０の半円環の半径は、およそ３０ｍｍである。一組のゴム紐７４０の厚さは特に限定されないが、例えば、直径２．０ｍｍとする。
【００７０】
折込領域７１１は、口側マスク部７１０の上端から口側マスク部７１０と鼻側マスク部７２０とを縫製接合される幅の長さだけ下側にセットバックした位置から、所定の長さまでの領域である。なお、折込領域７１１について上記「所定の長さ」は、例えば、４０〜５０ｍｍとする。
【００７１】
鼻側マスク部７２０の下端は、口側マスク部７１０の上端から、所定の幅の長さだけ下側に位置する接合箇所７２１において縫製接合される。なお、接合箇所７２１の上記「所定の長さ」は、例えば、１０〜１５ｍｍとする。
【００７２】
図９は、本発明の第二の実施の形態のマスク２０が折り込まれた状態を示す模式図である。図９（ａ）は、マスク２０の平面図を示す。また、図９（ｂ）は、マスク２０の断面図を示す。
【００７３】
図９で示されるように、マスク２０は、口側マスク部７１０を、折込領域の略中心線を軸にして外側に折り込み、且つ、口側マスク部７１０と鼻側マスク部７２０の連続箇所を軸にして内側に折り込み、口側マスク部７１０と鼻側マスク部７２０とを縫製接合される。
【００７４】
図９（ｂ）で示されるように、鼻側マスク部７２０の下端は、口側マスク部７１０の外表面と、セットバック接合箇所７２１において縫製接合される。図９（ｂ）の記号７２２は、当該場所で縫製接合されることを示す。
【００７５】
すなわち、鼻側マスク部７２０は、記号７２２より上側部分で口側マスク部７１０と縫製接合されない。
【００７６】
また、マスク２０は、口側マスク部７１０の上端の長さが鼻側マスク部７２０の上端の長さよりも短くなるように折り畳まれる。これにより、折込領域７１１はマスク２０の内側に引っ張るようにして、鼻側マスク部７２０から引き離し、口側マスク部７１０と鼻側マスク部７２０との間に空間を設けることができる。
【００７７】
上記特性により、使用者５００が装着した際に、口側マスク部７１０の上端からセットバック接合箇所７２１までの領域（折込領域７１１）が、使用者５００の鼻５１０に接触し内側に折れ込む。
【００７８】
すなわち、折込領域７１１は、鼻５１０に接触した後、鼻側マスク部７２０から引き離されるようにして、マスク２０の内側に折れ込む。
【００７９】
このようにして、使用者５００が装着した際に、口側マスク部７１０の上端からセットバック接合箇所７２１までの領域（折込領域７１１）が、使用者５００の鼻５１０に接触し内側に折れ込むことで仕切弁となり、鼻５１０からの呼気６１０が全体に浸透することを抑制できる。
［第三の実施の形態］
図１０は、本発明の第三の実施の形態のマスク３０の外観を示す斜視図である。図１１は、本発明の第三の実施の形態のマスク３０を示す断面図である。
【００８０】
本発明の第三の実施の形態のマスク３０は、図１０に示すように、第一の実施の形態のマスク１０または第二の実施の形態のマスク２０の構成に加え、カバー部１０００を有する。
【００８１】
カバー部１０００は、開口部１０１０と、左側抗菌フィルター１１１０と、右側抗菌フィルター１１２０と、を有する。カバー部１０００の素材は、例えば、麻、綿等とする。
【００８２】
カバー部１０００は、マスク１０に取り付ける場合、その一端が口側マスク部１００の上端において口側マスク部１００と縫製接合される。また、カバー部１０００は、他端が鼻側マスク部２００の上端において鼻側マスク部２００と縫製接合される。すなわち、カバー部１０００は、口側マスク部１００と鼻側マスク部２００の上端どうしを繋ぐようにマスク１０に取り付けられる。
【００８３】
このようにして、マスク１０は、カバー部１０００と口側マスク部１００および鼻側マスク部２００との間で空間部１２００を設けることができる。
【００８４】
カバー部１０００は、口側マスク部１００との接合面の中央付近において開口部１０１０を有する。開口部１０１０の大きさは、幅４５ｍｍ×高さ２０ｍｍ×奥行１５ｍｍ程度であるが、特に限定されない。
【００８５】
カバー部１０００は、カバー部１０００の両端において左側抗菌フィルター１１１０と、右側抗菌フィルター１１２０と、を有する。左側抗菌フィルター１１１０および右側抗菌フィルター１１２０は、長さ３０ｍｍ程度の切り欠きであるが、特に限定されない。また、左側抗菌フィルター１１１０および右側抗菌フィルター１１２０の素材は、周知の抗菌効果を有するフィルターである。
【００８６】
開口部１０１０は、マスク３０の使用者５００の鼻５１０と同程度の大きさである。すなわち、使用者５００がマスク３０を装着している時、鼻５１０が開口部１０１０を塞ぐような格好になる。
【００８７】
これにより、マスク３０は、カバー部１０００によって鼻５１０からの呼気が上部に流出するのを低減できる。そして、鼻５１０からの呼気は、空間部１２００を通じた後、左側抗菌フィルター１１１０と右側抗菌フィルター１１２０とを介して、外部に排出される。
【００８８】
また、使用者５００が息を吸う時は、外部からの空気は左側抗菌フィルター１１１０と右側抗菌フィルター１１２０とを通じてマスク３０の内部に流入される。
【００８９】
このようにして、マスク３０は、マスク１０にカバー部１０００を取り付けることで、左側抗菌フィルター１１１０と右側抗菌フィルター１１２０とを通じて呼吸を行うことができる。
【００９０】
なお、カバー部１０００をマスク２０に取り付ける場合、その一端が口側マスク部７１０の上端において口側マスク部７１０と縫製接合される。また、カバー部１０００は、他端が鼻側マスク部７２０の上端において鼻側マスク部７２０と縫製接合される。すなわち、カバー部１０００は、口側マスク部７１０と鼻側マスク部７２０の上端どうしを繋ぐようにマスク２０に取り付けられる。
【００９１】
このようにして、マスク３０は、マスク２０にカバー部１０００を取り付けることで、左側抗菌フィルター１１１０と右側抗菌フィルター１１２０とを通じて呼吸を行うことができる。
【００９２】
また、上記特性により、鼻と頬の隙間から呼吸が出入りせず、マスク３０は、眼鏡レンズの曇りを低減できる。さらに、呼気による熱気と蒸れによる不快さを低減し、マスク３０は、使用者５００の肌荒れ等のトラブルを低減し、美容効果も向上できる。
＜本実施の形態の効果＞
以上説明した本発明の実施の形態によれば、鼻からの呼気を仕切弁によって遮断してマスク内部の温度が高温になり蒸れることを抑制可能なマスクを提供できる。
【００９３】
すなわち、本発明の実施の形態に係るマスクは、一般に流通しているマスクに比べ、鼻から放出された呼気がマスク内全体を温め蒸れることを抑制でき、使用者が不快に感じることを低減できる。
【００９４】
また、夏季の屋外など高温の環境下でマスクを装着して労働や運動をする場合、鼻からの呼気がマスク内部を高温にして蒸れることを抑制するため、本発明の実施の形態に係るマスクは、マスクを装着する使用者が熱中症を引き起こす危険を回避できる。
【００９５】
さらに、本発明の実施の形態に係るマスクは、マスク内部が高温になって蒸れてしまうことを抑制でき、美容面においても例えば、使用者の肌荒れ等の問題が発生することを抑制できる。
【００９６】
また、本発明の実施の形態に係るマスクは、余分な機構を有さず軽量でコンパクトな構造であるため、容易に携帯できる。
【００９７】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００９８】
また、上記した実施の形態は本発明を分かりやすく説明するために詳細に説明したものであり、必ずしも説明した全ての構成を有しるものに限定されるものではない。例えば、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換を行ってもよい。
【符号の説明】
【００９９】
１０…第一の実施形態におけるマスク
２０…第二の実施形態におけるマスク
３０…第三の実施形態におけるマスク
１００…口側マスク部
１１０…左側面用生地
１１１…第一セットバック接合箇所
１１２…第一折込領域
１２０…右側面用生地
１２１…第二セットバック接合箇所
１２２…第二折込領域
２００…鼻側マスク部
２１０…第一の生地
２２０…第二の生地
４１０…左耳用ゴム紐
４２０…右耳用ゴム紐
５００…使用者
５１０…鼻
１０００…カバー部
１１１０…左側抗菌フィルター
１１２０…右側抗菌フィルター
【図１】
2022003182.tif 000003
【図２】
2022003182.tif 000004
【図３】
2022003182.tif 000005
【図４】
2022003182.tif 000006
【図５】
2022003182.tif 000007
【図６】
2022003182.tif 000008
【図７】
2022003182.tif 000009
【図８】
2022003182.tif 000010
【図９】
2022003182.tif 000011
【図１０】
2022003182.tif 000012
【図１１】
2022003182.tif 000013
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
口側マスク部と鼻側マスク部とカバー部とからなるマスクであって、
前記口側マスク部は、左側面用生地と右側面用生地と左耳用ゴム紐と右耳用ゴム紐とを有し、
前記左側面用生地の右端は、前記右側面用生地の左端と前記口側マスク部の略中心において縫製接合し、
前記左側面用生地の左端は、前記左耳用ゴム紐と、前記口側マスク部の左端において縫製接合し、
前記右側面用生地の右端は、前記右耳用ゴム紐と、前記口側マスク部の右端において縫製接合し、
前記鼻側マスク部は、第一の生地と第二の生地とを有し、
前記第一の生地の上端は、前記第二の生地の下端と、前記口側マスク部の略上端位置において縫製接合し、
前記第一の生地の下端は、前記口側マスク部の外表面と、前記口側マスク部の上端から前記第一の生地の幅の長さだけ下側に位置するセットバック接合箇所において縫製接合し、
前記鼻側マスク部の両端は、前記口側マスク部の外表面と、前記口側マスク部の両端位置において縫製接合し、
前記口側マスク部の上端の長さは、前記鼻側マスク部の上端の長さよりも短く、
前記カバー部は、その一端が前記口側マスク部の上端において前記口側マスク部と縫製接合され、
前記カバー部は、他端が前記鼻側マスク部の上端において前記鼻側マスク部と縫製接合され、
前記カバー部は、前記口側マスク部との接合面の中央付近において開口部と、前記カバー部の両端において左側抗菌フィルターと右側抗菌フィルターと、を有し、
前記開口部は、マスクの使用者の鼻により塞がれる、
マスク。
【請求項２】
請求項１に記載のマスクであって、
使用者が装着した際に、口側マスク部の上端からセットバック接合箇所までの領域が、前記使用者の鼻に接触し内側に折れ込むことで仕切弁となる、
マスク。
【請求項３】
左側面用生地、右側面用生地、左耳用ゴム紐、右耳用ゴム紐を有する口側マスク部と、第一の生地、第二の生地を有する鼻側マスク部とカバー部とからなるマスクの製造方法であって、
（１）前記左側面用生地の右端が、前記右側面用生地の左端と、前記口側マスク部の略中心において縫製接合される工程と、
（２）前記左側面用生地の左端が、前記左耳用ゴム紐と、前記口側マスク部の左端において縫製接合される工程と、
（３）前記右側面用生地の右端が、前記右耳用ゴム紐と、前記口側マスク部の右端において縫製接合される工程と、
（４）前記第一の生地の上端が、前記第二の生地の下端と、前記口側マスク部の略上端位置において縫製接合される工程と、
（５）前記第一の生地の下端が、前記口側マスク部の外表面と、前記口側マスク部の上端から前記第一の生地の幅の長さだけ下側に位置するセットバック接合箇所において縫製接合される工程と、
（６）前記鼻側マスク部の両端が、前記口側マスク部の外表面と、前記口側マスク部の両端位置において縫製接合される工程と、
（７）前記カバー部の一端が前記口側マスク部の上端において前記口側マスク部と縫製接合される工程と、
（８）前記カバー部の他端が前記鼻側マスク部の上端において前記鼻側マスク部と縫製接合される工程と、
を有し、
前記口側マスク部の上端の長さは、前記鼻側マスク部の上端の長さよりも短く、
前記カバー部は、前記口側マスク部との接合面の中央付近において開口部と、前記カバー部の両端において左側抗菌フィルターと右側抗菌フィルターと、を有し、
前記開口部は、マスクの使用者の鼻により塞がれる、
マスクの製造方法。
【請求項４】
請求項３に記載のマスクの製造方法であって、
使用者が装着した際に、口側マスク部の上端からセットバック接合箇所までの領域が、前記使用者の鼻に接触し内側に折れ込むことで仕切弁となる、
マスクの製造方法。